(57)【要約】【課題】  カラー画像の送信原稿を送信した際の送信結果レポートがカラー印刷されなくなり、カラー印刷の利用料金が課金されなくなり、加えて送信原稿の内容を白黒画像で確認することが可能となり、また、カラー画像が白黒画像に変換されて送信結果レポートに付加されている理由をユーザに伝えることが可能となる画像処理装置を提供する。【解決手段】  送信結果レポートにカラー画像の付加を行わない設定手段を設けることにより、送信原稿がカラー画像の場合は送信結果レポートに画像データを付加しない、もしくは、送信原稿がカラー画像の場合は、送信画像データを白黒画像に変換してから、送信結果レポートに画像データを付加することを特徴とする画像処理装置。【選択図】        図１
2006279721.tif 000002
【特許請求の範囲】
【請求項１】
送信画像を蓄積する記憶装置と、送信原稿を読み取る原稿読取手段と、送信原稿を前記原稿読取手段により読み取り送信する送信手段と、送信終了時に、送信結果レポートを出力する結果レポート出力手段と、前記送信手段により送信を行う際に、送信データを送信すると同時に、前記記憶装置に送信画像データを格納する格納手段と、前記結果レポート出力手段により出力される送信結果レポートに、前記格納手段により格納した送信画像データを付加する画像付加手段を有し、
前記画像付加手段において、送信結果レポートにカラー画像の付加を行わない設定手段を設けることにより、送信原稿がカラー画像の場合は送信結果レポートに画像データを付加しないことを特徴とする画像処理装置。
【請求項２】
前記設定手段によってカラー画像の付加を行わない設定がされており送信原稿がカラー画像の場合で、送信結果レポートに画像データを付加しない場合は、送信結果レポート上に、設定により送信原稿を付加していないという情報を印字することを特徴とする請求項１に記載の画像処理装置。
【請求項３】
送信画像を蓄積する記憶装置と、送信原稿を読み取る原稿読取手段と、送信原稿を前記原稿読取手段により読み取り送信する送信手段と、送信終了時に、送信結果レポートを出力する結果レポート出力手段と、前記送信手段により送信を行う際に、送信データを送信すると同時に、前記記憶装置に送信画像データを格納する格納手段と、前記結果レポート出力手段により出力される送信結果レポートに、前記格納手段により格納した送信画像データを付加する画像付加手段を有し、
前記画像付加手段において、送信結果レポートにカラー画像の付加を行わない設定手段を設けることにより、送信原稿がカラー画像の場合は、送信画像データを白黒画像に変換してから、送信結果レポートに画像データを付加することを特徴とする画像処理装置。
【請求項４】
前記設定手段によってカラー画像の付加を行わない設定がされており送信原稿がカラー画像で、カラー画像を白黒画像に変換して送信結果レポートに画像データを付加した場合は、送信結果レポート上に、設定により送信原稿を白黒画像に変換して付加したという情報を印字することを特徴とする請求項３に記載の画像処理装置。
【発明の詳細な説明】
【技術分野】
【０００１】
本発明は、送信原稿が適切に送信されたか否か等の送信結果情報を適切に確認することのできる送信結果レポート機能を有する画像処理装置に関するものである。
【背景技術】
【０００２】
従来のデジタル複写機においては、ファクシミリやインターネットＦＡＸの送信終了後に出力する送信結果レポートに、送信原稿の画像データを付加して、送信文書が適切に送信されたか、適切に送信できなかったかを知ることができるようになっている。また、ファクシミリやインターネットＦＡＸでカラー原稿を送受信できるようにしたものが登場し、通信終了後の結果レポートにも、カラー画像を付加するようになってきている（例えば、特許文献１参照）。
【特許文献１】特開平０８−１４９３２１号公報
【発明の開示】
【発明が解決しようとする課題】
【０００３】
複写機においては、印刷に応じてユーザに利用料金を課金する方法が取られている。一般的に白黒とカラーで印刷した場合には料金が異なり、カラー印刷の方が利用料金が高くなっている。カラー原稿を送信した際に出力する送信結果レポートに、カラー画像データを付加した場合、カラー印刷の利用料金が課金される。送信結果を確認する為だけに印刷される送信結果レポートにカラー印刷分の利用料金が課金されるのは、保守料金（ＭＧ料金）が課せられている機器設置者にとって好ましくない事が予想される。
【０００４】
本発明は、以上の点に着目して成されたもので、送信結果レポートがカラー印刷されなくなり、カラー印刷の利用料金が課金されなくなる画像処理装置を提供することを目的とする。
【課題を解決するための手段】
【０００５】
前記課題を解決するための手段として、
請求項１の画像処理装置は、送信画像を蓄積する記憶装置と、送信原稿を読み取る原稿読取手段と、送信原稿を前記原稿読取手段により読み取り送信する送信手段と、送信終了時に、送信結果レポートを出力する結果レポート出力手段と、前記送信手段により送信を行う際に、送信データを送信すると同時に、前記記憶装置に送信画像データを格納する格納手段と、前記結果レポート出力手段により出力される送信結果レポートに、前記格納手段により格納した送信画像データを付加する画像付加手段を有し、前記画像付加手段において送信結果レポートにカラー画像の付加を行わない設定手段を設けることにより、送信原稿がカラー画像の場合は送信結果レポートに画像データを付加しない手段を備えたものである。
【０００６】
更に、請求項２の画像処理装置は、請求項１の発明に加えて、前記設定手段によってカラー画像の付加を行わない設定がされており送信原稿がカラー画像の場合で、送信結果レポートに画像データを付加しない場合は、送信結果レポート上に、設定により送信原稿を付加していないという情報を印字する手段を備えたものである。
【０００７】
更に、請求項３の画像処理装置は、送信画像を蓄積する記憶装置と、送信原稿を読み取る原稿読取手段と、送信原稿を前記原稿読取手段により読み取り送信する送信手段と、送信終了時に、送信結果レポートを出力する結果レポート出力手段と、前記送信手段により送信を行う際に、送信データを送信すると同時に、前記記憶装置に送信画像データを格納する格納手段と、前記結果レポート出力手段により出力される送信結果レポートに、前記格納手段により格納した送信画像データを付加する画像付加手段を有し、前記画像付加手段において、送信結果レポートにカラー画像の付加を行わない設定手段を設けることにより、送信原稿がカラー画像の場合は、送信画像データを白黒画像に変換してから、送信結果レポートに画像データを付加する手段を備えたものである。
【０００８】
更に、請求項４の画像処理装置は、請求項３の発明に加えて、前記設定手段によってカラー画像の付加を行わない設定がされており送信原稿がカラー画像で、カラー画像を白黒画像に変換して送信結果レポートに画像データを付加した場合は、送信結果レポート上に、設定により送信原稿を白黒画像に変換して付加したという情報を印字する手段を備えたものである。
【発明の効果】
【０００９】
本発明の請求項１の画像処理装置は、送信画像を蓄積する記憶装置と、送信原稿を読み取る原稿読取手段と、送信原稿を前記原稿読取手段により読み取り送信する送信手段と、送信終了時に、送信結果レポートを出力する結果レポート出力手段と、前記送信手段により送信を行う際に、送信データを送信すると同時に、前記記憶装置に送信画像データを格納する格納手段と、前記結果レポート出力手段により出力される送信結果レポートに、前記格納手段により格納した送信画像データを付加する画像付加手段を有し、前記画像付加手段において、送信結果レポートにカラー画像の付加を行わない設定手段を設けることにより、送信原稿がカラー画像の場合は送信結果レポートに画像データを付加しない手段を備えたものである。
【００１０】
これにより、カラー画像の送信原稿を送信した際の送信結果レポートがカラー印刷されなくなり、カラー印刷の利用料金が課金されなくなる。
【００１１】
本発明の請求項２の画像処理装置は、請求項２の画像処理装置は、請求項１の発明に加えて、前記設定手段によってカラー画像の付加を行わない設定がされており送信原稿がカラー画像の場合で、送信結果レポートに画像データを付加しない場合は、送信結果レポート上に、設定により送信原稿を付加していないという情報を印字する手段を備えたものである。
【００１２】
これにより、送信原稿が表示されていない理由をユーザに伝えることが可能となる。
【００１３】
本発明の請求項３の画像処理装置は、送信画像を蓄積する記憶装置と、送信原稿を読み取る原稿読取手段と、送信原稿を前記原稿読取手段により読み取り送信する送信手段と、送信終了時に、送信結果レポートを出力する結果レポート出力手段と、前記送信手段により送信を行う際に、送信データを送信すると同時に、前記記憶装置に送信画像データを格納する格納手段と、前記結果レポート出力手段により出力される送信結果レポートに、前記格納手段により格納した送信画像データを付加する画像付加手段を有し、前記画像付加手段において、送信結果レポートにカラー画像の付加を行わない設定手段を設けることにより、送信原稿がカラー画像の場合は、送信画像データを白黒画像に変換してから、送信結果レポートに画像データを付加する手段を備えたものである。
【００１４】
これにより、カラー画像の送信原稿を送信した際の送信結果レポートがカラー印刷されなくなり、カラー印刷の利用料金が課金されなくなり、加えて送信原稿の内容を白黒画像で確認することが可能となる。
【００１５】
本発明の請求項４の画像処理装置は、請求項３の発明に加えて、前記設定手段によってカラー画像の付加を行わない設定がされており送信原稿がカラー画像で、カラー画像を白黒画像に変換して送信結果レポートに画像データを付加した場合は、送信結果レポート上に、設定により送信原稿を白黒画像に変換して付加したという情報を印字する手段を備えたものである。
【００１６】
これにより、カラー画像が白黒画像に変換されて送信結果レポートに付加されている理由をユーザに伝えることが可能となる。
【発明を実施するための最良の形態】
【００１７】
以下本発明を実施するための最良の形態を、実施例により詳しく説明する。
【実施例１】
【００１８】
以下に実施例１を示す。
【００１９】
図１は、実施例１における、画像処理装置が利用されるシステム構成図である。
【００２０】
複写機１００１、複写機１００２は原稿を読み取り、さまざまな装置に送信する装置である。ファクシミリ１００３は複写機１００１の複写機が読み取ったデータを公衆回線１００９を介して受信しプリントするファクシミリ装置である。データベース／メールサーバ１００４は複写機１００１、複写機１００２が読み取ったデータを格納するアプリケーションサーバが動作しているコンピュータである。
【００２１】
クライアントコンピュータ１００５はデータベースサーバ／メールサーバ１００４に接続し、格納されているデータをダウンロードして表示するコンピュータである。プリンタ１００６は複写機１００１、複写機１００２が読み取ったイメージデータやクライアントコンピュータ１００５が生成するＰＤＬデータを印刷する印刷装置である。ディレクトリサーバ１００７は名前や電子メールアドレスやファクス番号などの様々なディレクトリ情報が格納されており、複写機１００１、複写機１００２やクライアントコンピュータ１００５はＬＤＡＰ（Ｌｉｇｈｔｗｅｉｇｈｔ  Ｄｉｒｅｃｔｏｒｙ  Ａｃｃｅｓｓ  Ｐｒｏｔｏｃｏｌ）などのプロトコルにより、これらのディレクトリ情報にアクセスすることが可能である。
【００２２】
イーサネット(登録商標)１００８は、複写機１００１、複写機１００２、データベース／メールサーバ１００４，クライアントコンピュータ１００５、プリンタ１００６，ディレクトリサーバ１００７が接続されるネットワークである。
【００２３】
図２は、実施例１における、ハードウェアのシステムブロック図であり、複写機１００１、複合機１００２に実装される。Ｃｏｎｔｒｏｌｌｅｒ  Ｕｎｉｔ  ２０００は画像入力デバイスであるＳｃａｎｎｅｒ２０７０や画像出力デバイスであるＰｒｉｎｔｅｒ２０９５と接続し、一方ではＬＡＮ２０１１や公衆回線（ＷＡＮ）２０５１接続することで、画像情報やデバイス情報の入出力を行う為のコントローラである。
【００２４】
ＣＰＵ２００１はシステム全体を制御するコントローラである。ＲＡＭ２００２はＣＰＵ２００２が動作するためのシステムワークメモリであり、画像データを一時記憶するための画像メモリでもある。ＲＯＭ２００３はブートＲＯＭであり、システムのブートプログラムが格納されている。ＨＤＤ２００４はハードディスクドライブで、システムソフトウェア、画像データを格納する。操作部Ｉ／Ｆ２００６は操作部（ＵＩ）２０１２とインターフェース部で、操作部２０１２に表示する画像データを操作部２０１２に対して出力する。また、操作部２０１２から本システム使用者が入力した情報を、ＣＰＵ２００１に伝える役割をする。
【００２５】
Ｎｅｔｗｏｒｋ２０１０はＬＡＮ２０１１に接続し、情報の入出力を行う。Ｍｏｄｅｍ２０５０は公衆回線２０５１に接続し、情報の入出力を行う。以上のデバイスがシステムバス２００７上に配置される。Ｉｍａｇｅ  Ｂｕｓ  Ｉ／Ｆ２００５はシステムバス２００７と画像データを高速で転送する画像バス２００８を接続し、データ構造を変換するバスブリッジである。画像バス２００８は、ＰＣＩバスまたはＩＥＥＥ１３９４で構成される。画像バス２００８上には以下のデバイスが配置される。ラスターイメージプロセッサ（ＲＩＰ）２０６０はＰＤＬコードをビットマップイメージに展開する。
【００２６】
デバイスＩ／Ｆ部２０２０は、画像入出力デバイスであるスキャナ２０７０やプリンタ２０９５とコントローラ２０００を接続し、画像データの同期系／非同期系の変換を行う。スキャナ画像処理部２０８０は、入力画像データに対し補正、加工、編集を行う。プリンタ画像処理部は、プリント出力画像データに対して、プリンタの補正、解像度変換等を行う。画像回転部２０３０は画像データの回転を行う。画像圧縮部２０４０は、多値画像データはＪＰＥＧ、２値画像画像データはＪＢＩＧ、ＭＭＲ、ＭＨの圧縮伸張処理を行う。
【００２７】
図３は、実施例１における、ソフトウェアのシステムブロック図であり、複写機１００１、複合機１００２に実装される。送信管理コンポーネント３０００は、操作部コンポーネント３００１からの処理命令に従い、スキャナ管理コンポーネント３００４により原稿を読み取りを指示し、生成した画像データをファシミリ送信コンポーネント３００６、インターネットファクシミリ送信コンポーネント３００７に通信処理命令を発行することにより、それぞれ、ファクシミリ１００３、メールサーバ１００４に送信することができる。
【００２８】
送信管理コンポーネント３０００は、宛先情報のチェックを行う操作部Ｉ／Ｆコンポーネント３００２と、スキャナ管理コンポーネント３００４および各通信コンポーネント間でジョブ制御を行うジョブ管理コンポーネントから構成される。各送信コンポーネントは通信終了後にログコンポーネント３００８へログの書き込みを行う。時刻指定通信履歴レポートや通信回数指定通信履歴レポートの出力の場合はログコンポーネント３００８がレポートコンポーネント３００９に対して通信管理レポート出力命令を出す。また通信処理後の送信結果レポート出力はジョブ管理コンポーネント３００３がレポートコンポーネント３００９に対して送信結果レポート出力命令を発行する。レポート出力命令時にはジョブ管理コンポーネント３０００から、送信結果レポートに表示する情報（受付番号、部門ＩＤ、開始時刻、送信文書名、送信枚数、相手先、エラー情報、ＨＤＤ２００４に格納されている送信画像データの格納場所）が渡される。
【００２９】
レポートコンポーネント３００９は、予め操作部コンポーネント３００１で設定された送信結果レポートの出力条件を参照し、送信結果レポートの画像を形成する。送信結果レポートの画像を形成した後、ジョブ管理コンポーネントはプリントコンポーネント３００５にレポート印刷命令を出す。
【００３０】
図４は、実施例１における、操作部コンポーネント３００１から送信結果レポートの出力条件を設定する際の、操作部２０１２に表示する画面例である。
【００３１】
操作部４０００は送信結果レポートの設定画面を表す。操作部４００１は送信結果レポートを出力するか否かを選択するボタンが配置されており、「エラー時のみ」を選択した場合は、送信が失敗した場合にのみ送信結果レポートが出力される。ＯＮの場合は、送信の成功、失敗に関わらず送信終了時には必ず送信結果レポートが出力される。ＯＦＦの場合は送信結果レポートが出力されない。
【００３２】
操作部４００２は、操作部４００１で「エラー時のみ」「ＯＮ」を選択した場合に表示されるポップアップ画面であり、送信結果レポートに送信原稿を付加するか否かを選択するボタンが配置されている（４００３）。「送信原稿の表示」４００３をＯＮにした場合には送信結果レポートに送信原稿の１ページ目が付加されることになる。
【００３３】
また、操作部４００２はカラー原稿の送信が行われた場合にその送信原稿を表示するか否かを選択するボタンも配置されており（４００４）、「送信原稿の表示」４００３でＯＮが選択されている場合のみ「カラー送信原稿を表示」４００４は選択可能となる。操作部４０００は「エラー時のみ」、「送信原稿の表示」ＯＮ、「カラー送信原稿の表示」ＯＮが選択されている状態を表している。
【００３４】
図５は、実施例１における、ジョブ管理コンポーネント３００３がレポートコンポーネント３００９に送信結果レポート出力命令を発行してから、プリントコンポーネント３００５にレポート印刷命令を出すまでのフローチャートである。
【００３５】
各通信コンポーネントが通信を終了すると、ジョブ管理コンポーネント３００３はレポートコンポーネント３００９に送信結果レポート出力命令を発行する（Ｓ１００１）。レポートコンポーネント３００９は、操作部４００１で設定された送信結果レポートを出力するか否かの情報を操作部コンポーネント３００１から取得する（Ｓ１００２）。操作部４００１で設定された値が「ＯＦＦ」の場合は送信結果レポートを出力せずに終了する（Ｓ１００９）。「エラー時のみ」もしくは「ＯＮ」の場合は、操作部４００３で設定された送信原稿を送信結果レポートに付加するか否かの情報を操作部コンポーネント３００１から取得する（Ｓ１００３）。
【００３６】
操作部４００３で設定された値が「ＯＦＦ」の場合は、Ｓ１００８に進み、送信原稿を付加しないでプリントコンポーネント３００５にレポート印刷命令を出す。Ｓ１００３で「ＯＮ」の場合は、ジョブ管理コンポーネントから、送信先がファクシミリかインターネットファクシミリのどれであるかの情報を取得する（Ｓ１００４）。
【００３７】
送信先がファクシミリのみの場合は、送信原稿は白黒画像であるためＳ１００５に進まずＳ１００７に進み送信結果レポートに送信原稿の１ページ目を付加する。送信先にインターネットファクシミリが含まれていた場合には、Ｓ１００５で送信原稿の１ページ目がカラー画像が否かを判断する。白黒画像の場合はＳ１００７に進む。カラー画像の場合にはＳ１００６で操作部４００４でカラー送信原稿を表示するか否かの設定を取得する。Ｓ１００６で「ＯＮ」の場合はＳ１００７に進みカラー送信原稿を送信結果レポートに付加する。「ＯＦＦ」の場合は送信原稿の付加をせずにＳ１００８に進む。
【００３８】
図６−１、図６−２は、実施例１における、送信結果レポートのイメージ図である。
【００３９】
６００１（図６−１）は送信原稿を付加した場合の送信結果レポートを示す。６００２（図６−２）は送信原稿を付加しない場合の送信結果レポートを示している。
【実施例２】
【００４０】
以下に実施例２を示す。
【００４１】
実施例２の基本的なシステム構成図、および基本的なハードウェアシステムブロック図、および基本的なソフトウェアシステムブロック図、および操作部の例は、それぞれ、実施例１の図１、図２、図３、図４と同様であるので詳細は省略する。
【００４２】
図７は、実施例２におけるジョブ管理コンポーネント３００３がレポートコンポーネント３００９に送信結果レポート出力命令を発行してから、プリントコンポーネント３００５にレポート印刷命令を出すまでのフローチャートである。
【００４３】
各通信コンポーネントが通信を終了すると、ジョブ管理コンポーネント３００３はレポートコンポーネント３００９に送信結果レポート出力命令を発行する（Ｓ２００１）。レポートコンポーネント３００９は、操作部４００１で設定された送信結果レポートを出力するか否かの情報を操作部コンポーネント３００１から取得する（Ｓ２００２）。操作部４００１で設定された値が「ＯＦＦ」の場合は送信結果レポートを出力せずに終了する（Ｓ２０１０）。「エラー時のみ」もしくは「ＯＮ」の場合は、操作部４００３で設定された送信原稿を送信結果レポートに付加するか否かの情報を操作部コンポーネント３００１から取得する（Ｓ２００３）。
【００４４】
操作部４００３で設定された値が「ＯＦＦ」の場合は、Ｓ２００９に進み、送信原稿を付加しないでプリントコンポーネント３００５にレポート印刷命令を出す。Ｓ２００３で「ＯＮ」の場合は、ジョブ管理コンポーネントから、送信先がファクシミリかインターネットファクシミリのどれであるかの情報を取得する（Ｓ２００４）。
【００４５】
送信先がファクシミリのみの場合は、送信原稿は白黒画像であるためＳ２００５に進まずＳ２００８に進み送信結果レポートに送信原稿の１ページ目を付加する。送信先にインターネットファクシミリが含まれていた場合には、Ｓ２００５で送信原稿の１ページ目がカラー画像が否かを判断する。白黒画像の場合はＳ２００８に進む。カラー画像の場合にはＳ２００６で操作部４００４でカラー送信原稿を表示するか否かの設定を取得する。Ｓ２００６で「ＯＮ」の場合はＳ２００８に進みカラー画像を送信結果レポートに付加する。「ＯＦＦ」の場合はＳ２００７で送信原稿の１ページ目をカラー画像から白黒画像に変換し、Ｓ２００８で送信結果レポートに白黒に変換した画像を付加する。そしてＳ２００９でプリントコンポーネント３００５にレポート印刷命令を出す。
【００４６】
図８は、実施例２における、送信結果レポートのイメージ図である。
【００４７】
８００１はカラー画像の付加を行わない設定がされている場合で、送信原稿がカラー画像で、カラー画像を白黒画像に変換して送信結果レポートを出力した場合のイメージ例である。
【図面の簡単な説明】
【００４８】
【図１】実施例における、画像処理装置が利用される基本的なシステム構成図である。
【図２】実施例における、複写機１００１、複合機１００２に実装されるハードウェアのシステムブロック図である。
【図３】実施例における、複写機１００１、複合機１００２に実装されるソフトウェアのシステムブロック図である。
【図４】実施例における、操作部コンポーネント３００１から送信結果レポートの出力条件を設定する際の操作部２０１２に表示する画面例を示す図である。
【図５】実施例１における、ジョブ管理コンポーネント３００３がレポートコンポーネント３００９に送信結果レポート出力命令を発行してから、プリントコンポーネント３００５にレポート印刷命令を出すまでのフローチャートである。
【図６−１】実施例１における、送信結果レポートのイメージ図である。
【図６−２】実施例１における、送信結果レポートのイメージ図である。
【図７】実施例２における、ジョブ管理コンポーネント３００３がレポートコンポーネント３００９に送信結果レポート出力命令を発行してから、プリントコンポーネント３００５にレポート印刷命令を出すまでのフローチャートである。
【図８】実施例２における、送信結果レポートのイメージ図である。
【符号の説明】
【００４９】
１００１    複写機
１００２    複写機
１００３    ファクシミリ
１００４    データベース／メールサーバ
１００５    クライアントコンピュータ
１００６    プリンタ
１００７    ディレクトリサーバ
１００８    イーサネット(登録商標)
１００９    公衆回線
２０００    Ｃｏｎｔｒｏｌｌｅｒ  Ｕｎｉｔ
２００１    ＣＰＵ
２００２    ＲＡＭ
２００３    ＲＯＭ
２００４    ＨＤＤ
２００５    Ｉｍａｇｅ  Ｂｕｓ  Ｉ／Ｆ
２００６    操作部Ｉ／Ｆ
２００７    システムバス
２００８    画像バス
２０１０    Ｎｅｔｗｏｒｋ
２０１１    ＬＡＮ
２０１２    操作部
２０２０    デバイスＩ／Ｆ
２０３０    画像回転部
２０４０    画像圧縮部
２０５０    ＭＯＤＥＭ
２０５１    ＷＡＮ
２０６０    ＲＩＰ
２０７０    スキャナ
２０７１    スキャナ通信バス
２０８０    スキャナ画像処理部
２０９０    プリンタ画像処理部
２０９５    プリンタ
２０９６    プリンタ通信バス
３０００    送信管理コンポーネント
３００１    操作部コンポーネント
３００２    操作部Ｉ／Ｆコンポーネント
３００３    ジョブ管理コンポーネント
３００４    スキャナ管理コンポーネント
３００５    プリントコンポーネント
３００６    ファクシミリ送信コンポーネント
３００７    インターネットファクシミリ送信コンポーネント
３００８    ログコンポーネント
３００９    レポートコンポーネント
４０００    送信結果レポート設定
４００１    送信結果レポート出力設定
４００２    送信原稿表示設定
４００３    送信原稿の表示設定
４００４    カラー送信原稿の表示設定
６００１    送信結果レポートイメージ
６００２    送信結果レポートイメージ
８００１    送信結果レポートイメージ
【図２】
2006279721.tif 000003
【図３】
2006279721.tif 000004
【図５】
2006279721.tif 000005
【図６−２】
2006279721.tif 000006
【図７】
2006279721.tif 000007
【図１】
2006279721.tif 000008
【図４】
2006279721.tif 000009
【図６−１】
2006279721.tif 000010
【図８】
2006279721.tif 000011